(57)【要約】【課題】注水ケースに洗剤収容部を備えるものにあって、給水時に洗剤により大量の泡が発生して注水ケースから溢れてしまうことを未然に防止する。【解決手段】実施形態の洗濯機は、給水機構により該注水ケースに供給された水が、洗剤収容部に供給された後底部通水部に流れ落ちる第１の給水態様を実行することが可能に構成されると共に、注水ケースには、収容ケースの後側に位置して、該注水ケース内を前後に仕切る仕切壁が設けられることにより、該仕切壁の後ろ側に、第１の給水態様にあって一部の水が洗剤収容部に入らずに直接的に流れ込む後部水路が形成され、後部水路の水が該仕切壁の下辺部に部分的に形成された開口部を通して、底部通水部に流れる構成とされている。【選択図】図１
2018143525.tif 000002
【特許請求の範囲】
【請求項１】
洗濯水が溜められる水槽と、
給水源からの水を、注水ケースを通して前記水槽内に給水する給水機構とを備える洗濯機であって、
前記注水ケース内には、上面が開口した容器状の洗剤収容部を有する収容ケースが配置され、該収容ケースの下部に位置して前記収容ケース内を通った水を出口に向けて流す底部通水部が設けられ、
前記給水機構により該注水ケースに供給された水が、前記洗剤収容部に供給された後前記底部通水部に流れ落ちる第１の給水態様を実行することが可能に構成されると共に、
前記注水ケースには、前記収容ケースの後側に位置して、該注水ケース内を前後に仕切る仕切壁が設けられることにより、該仕切壁の後ろ側に、前記第１の給水態様にあって一部の水が前記洗剤収容部に入らずに直接的に流れ込む後部水路が形成され、前記後部水路の水が該仕切壁の下辺部に部分的に形成された開口部を通して、前記底部通水部に流れる構成とされている洗濯機。
【請求項２】
前記仕切壁の開口部は、前記収容ケースのうち前記洗剤収容部の横幅方向範囲から外れた位置に設けられている請求項１記載の洗濯機。
【請求項３】
前記注水ケースの水の出口は、該注水ケースの底部の横方向のどちらか一方に偏った位置に設けられていると共に、前記仕切壁の開口部は、前記水の出口の位置と同じ側に設けられている請求項１又は２記載の洗濯機。
【請求項４】
前記収容ケースには、前記洗剤収容部に横に並んで洗濯助剤収容部が設けられ、
前記洗濯助剤収容部の後部には、前記開口部よりも上方に位置して、前記後部通路への洗濯助剤の漏れ出しを防止するための返し板部が設けられている請求項１から３のいずれか一項に記載の洗濯機。
【発明の詳細な説明】
【技術分野】
【０００１】
本発明の実施形態は、洗濯機に関する。
【背景技術】
【０００２】
一般に、洗い、すすぎ、脱水等からなる洗濯の各行程を自動で実行する洗濯機においては、注水ケース部分に、引出し式の洗剤等収容ケースが設けられている（例えば特許文献１参照）。洗剤等収容ケースには、洗剤を収容する洗剤収容部と、柔軟剤等の洗濯助剤を収容する柔軟剤収容部とが並んで設けられており、注水ケースには、それら各収容部に夫々対応した複数の給水経路が設けられている。これにて、洗い行程の開始時には、洗剤収容部を通して給水が行われ、洗剤が水に溶けながら水槽内に投入される。また、最終のためすすぎ行程の開始時には、柔軟剤収容部を通して給水が行われ、柔軟剤が水に溶けながら水槽内に投入される。
【先行技術文献】
【特許文献】
【０００３】
【特許文献１】特開２００２−１６６０９３号公報
【発明の概要】
【発明が解決しようとする課題】
【０００４】
上記のような注水ケースにあっては、特に洗剤収容部に液体洗剤が貯留されているような場合に、比較的高い水圧で洗剤収容部に水が供給されると、液体洗剤と多量の水とが勢い良く混ぜられて大量の泡が発生する虞があり、ひいてはその泡が注水ケースから溢れ出してしまうことも考えられる。そのため、従来では、液体洗剤に関しては、洗剤収容部に貯留することなく、そのまま水槽に供給することも行われているが、水槽内の衣類に濃い液体洗剤が長い時間付着していると、色落ちなどを招いてしまう虞もある。
【０００５】
そこで、注水ケースに洗剤収容部を備えるものにあって、給水時に洗剤により大量の泡が発生して注水ケースから溢れてしまうことを未然に防止することができる洗濯機を提供する。
【課題を解決するための手段】
【０００６】
実施形態の洗濯機は、洗濯水が溜められる水槽と、給水源からの水を注水ケースを通して前記水槽内に給水する給水機構とを備えるものであって、前記注水ケース内には、上面が開口した容器状の洗剤収容部を有する収容ケースが配置され、該収容ケースの下部に位置して前記収容ケース内を通った水を出口に向けて流す底部通水部が設けられ、前記給水機構により該注水ケースに供給された水が、前記洗剤収容部に供給された後前記底部通水部に流れ落ちる第１の給水態様を実行することが可能に構成されると共に、前記注水ケースには、前記収容ケースの後側に位置して、該注水ケース内を前後に仕切る仕切壁が設けられることにより、該仕切壁の後ろ側に、前記第１の給水態様にあって一部の水が前記洗剤収容部に入らずに直接的に流れ込む後部水路が形成され、前記後部水路の水が該仕切壁の下辺部に部分的に形成された開口部を通して、前記底部通水部に流れる構成とされている。
【図面の簡単な説明】
【０００７】
【図１】一実施形態を示すもので、洗濯機の外観を示す側面図
【図２】洗濯機の内部構成を概略的に示す縦断側面図
【図３】洗濯機の洗濯物出入口部分を収容ケースを引出した状態で示す斜視図
【図４】注水ケースのロアケースと給水ホースとの接続部分を示す斜視図
【図５】ロアケースの平面図
【図６】図５のＡ−Ａ線に沿うロアケースの縦断正面図
【図７】ロアケース内に収容ケースが収容された状態を示す平面図
【図８】図７のＢ−Ｂ線に沿う縦断側面図
【発明を実施するための形態】
【０００８】
以下、いわゆる縦軸型の洗濯機に適用した一実施形態について、図面を参照しながら説明する。図１は、本実施形態に係る洗濯機１の外観構成を概略的に示しており、図２は、洗濯機１の内部構成を概略的に示している。ここで、洗濯機１は、例えば鋼板から全体として矩形箱状に構成された外箱２を備え、図３にも示すように、その外箱２の上部に、合成樹脂製のトップカバー３を備えている。
【０００９】
図２に示すように、前記外箱２内には、洗濯水を溜めることが可能な水槽４が、周知構成の弾性吊持機構５により弾性的に吊り下げ支持されて設けられている。前記水槽４の底部には、排水口６が形成されている。この排水口６には、電子制御式の排水弁７を備えた排水路８が接続されている。尚、詳しく図示はしないが、水槽４の底部にはエアトラップが設けられ、このエアトラップに接続されたエアチューブを介して、水槽４内の水位を検出する水位センサ（図示せず）が設けられている。
【００１０】
前記水槽４内には、脱水槽を兼用する縦軸型の洗濯槽１０が回転可能に設けられている。この洗濯槽１０は、有底円筒状をなし、その周壁部には、多数個の脱水孔１０ａが形成されている。この洗濯槽１０の上端部には、例えば液体封入形の回転バランサ１１が取付けられている。また、洗濯槽１０の内底部には、撹拌手段を構成するパルセータ１２が配設されている。洗濯槽１０内には、図示しない衣類が収容されるようになっており、衣類の洗い、すすぎ、脱水等の行程からなる洗濯運転が行われる。
【００１１】
また、図２に一部のみ示すように、前記パルセータ１２の裏面には、ポンプ羽根１２ａが一体に設けられ、洗濯槽１０の内底部に、遠心ポンプからなるポンプ室９が形成されている。図示は省略しているが、洗濯槽１０の側壁部には、前記ポンプ室９に外周の例えば１２０度間隔の３カ所に位置する各出口部から上方に延びる３個の揚水路が設けられている。これにて、パルセータ１２の回転により、洗濯槽１０内の洗濯液（水や、洗剤が溶けた水等）が、ポンプ室９から揚水路を上昇し、洗濯槽１０の上部から吐出（散水）されるようになっている。
【００１２】
図２に示すように、前記水槽４の外底部には、周知構成の駆動機構１５が配設されている。詳しい図示及び説明は省略するが、この駆動機構１５は、例えばアウタロータ形のＤＣ三相ブラシレスモータからなる洗濯機モータ、中空の槽軸１８、該槽軸１８を貫通する撹拌軸１９、前記洗濯機モータの回転駆動力をそれら軸１８、１９に選択的に伝達するクラッチ機構等を備えている。前記槽軸１８の上端には、前記洗濯槽１０が連結されており、前記撹拌軸１９の上端には、前記パルセータ１２が連結されている。
【００１３】
前記クラッチ機構は、例えばソレノイドを駆動源としており、後述する制御装置２１（図４参照）により制御される。これにて、クラッチ機構は、洗い時及びすすぎ時（洗い行程）には洗濯槽１０の固定（停止）状態で、洗濯機モータの駆動力を、撹拌軸１９を介してパルセータ１２に伝達してパルセータ１２を直接正逆回転駆動する。また、脱水時（脱水行程）等には、クラッチ機構は、槽軸１８と撹拌軸１９との連結状態で、洗濯機モータの駆動力を槽軸１８を介して洗濯槽１０に伝達し、洗濯槽１０（及びパルセータ１２）を一方向に高速で直接回転駆動するようになっている。
【００１４】
一方、図３、図４にも一部示すように、前記水槽４の上部には、水槽カバー１３が装着されている。この水槽カバー１３には、ほぼ中央部に洗濯物出し入れ用の開口部１３ａが設けられていると共に、その開口部１３ａを開閉する内蓋１４が取付けられている。更に、水槽カバー１３の後部寄り部分には、後述する給水機構により、水槽４内に給水を行うための給水口２０が設けられている。尚、図示はしないが、前記トップカバー３内には、水槽４内に乾燥風を供給して衣類を乾燥させるための乾燥ユニットが設けられており、水槽カバー１３には、乾燥ユニットの給気ダクト及び排気ダクトが夫々接続される接続口１６及び１７（図４参照）が設けられている。
【００１５】
図１〜図３に示すように、前記トップカバー３は、下面が開口すると共に、その上面が前方に向けて下降傾斜するような薄形の中空箱状をなしている。そして、このトップカバー３の中央部には、前記洗濯槽１０の上方（水槽カバー１３の開口部１３ａの上方）に位置して、ほぼ円形の洗濯物の出入口３ａが形成されている。トップカバー３の上面には、全体として矩形パネル状をなし、前記出入口３ａを開閉するための蓋２３が開閉可能に設けられている。
【００１６】
また、図２、図３に示すように、このトップカバー３の上面の前辺部には、横長形状の操作パネル２４が設けられている。詳しく図示はしないが、この操作パネル２４は、ユーザが洗濯機１に対する電源の入り切りや各種の設定・指示等を行うための操作部や、必要な表示を行う表示部等を備えて構成されている。操作パネル２４の裏面側には、前記制御装置２１（電子ユニット）が設けられている。この制御装置２１は、コンピュータを主体として構成され、洗濯機１全体を制御して洗い、すすぎ、脱水等の洗濯運転の各行程、更には乾燥ユニットによる乾燥の行程を実行する。
【００１７】
図２に示すように、このトップカバー３の後部には、水槽４内への給水を行うための給水機構（給水ユニット）２５が設けられている。この給水機構２５は、接続口２６、給水弁２７、注水ケース２８、給水ホース２９等を備える。前記接続口２６には、給水源としての図示しない水道の蛇口に接続された接続ホースの先端部が接続される。詳しく図示はしないが、給水弁２７は、電磁的に開閉動作する開閉弁（切替弁）からなり、前記接続口２６に接続された一つの入口と、第１、第２の２つの出口とを備え、全閉又はいずれか一方の出口を開放するように構成されている。この給水弁２７は、前記制御装置２１により制御される。
【００１８】
さて、前記注水ケース２８について、図４から図８も参照して詳述する。注水ケース２８は、図４〜図８に示すような、プラスチック製のロアケース３１と、このロアケース３１の上面側に結合される図示しないアッパケースとから、全体としてほぼ矩形箱状に構成されている。ロアケース３１は、周囲（四辺）部に立上り壁部を有する薄型の矩形容器状をなしている。また、注水ケース２８（ロアケース３１）の左部の後側には、図示しない風呂水ポンプが組付けられるポンプ配置部３２が一体に設けられている。
【００１９】
この注水ケース２８（ロアケース３１）の前面は、図３に示すように、前記出入口３ａに臨んでおり、横長矩形状の前面開口部３１ａ（図５等参照）が設けられている。そして、注水ケース２８内には、図７、図８にも示すように、引出し式の収容ケース３３が、前面開口部３１ａを通して前方への引出しが可能に配置される。収容ケース３３はプラスチックからなり、注水ケース３１内への収容時に前面開口部３１ａを塞ぐような前蓋３３ａを有している。これと共に、図７に示すように、その前蓋３３ａの背面側には、洗剤（液体、粉末）が収容される洗剤収容部３４、及び、洗濯助剤例えば柔軟剤が収容される洗濯助剤収容部としての柔軟剤収容部３５が、左右に並んで一体的に設けられている。図８に示すように、前蓋３３ａには、手掛け部３３ｂが設けられている。
【００２０】
そのうち洗剤収容部３４は、上面が開口したやや幅広の矩形容器状をなすと共に、その底面は、後方に行くほど下降する緩やかな傾斜状に構成されている。また、図７に示すように、洗剤収容部３４の底面後辺部に洗剤出口部３４ａが形成されている。図７、図８に示すように、前記柔軟剤収容部３５は、前記洗剤収容部３４よりもやや幅狭で、前後方向にも小さいほぼ矩形容器状をなしている。このとき、柔軟剤収容部３５の底面部は、後端部寄り部分が最も低くなる緩やかな傾斜を有しており、最も低い部分に出口穴３５ａが形成されていると共に、その出口穴３５ａの上部に位置して周知構成のサイフォン部３６が設けられている。
【００２１】
このサイフォン部３６は、柔軟剤収容部３５の底面から上方に延びる円管状の筒状部３６ａを有すると共に、前記筒状部３６ａの外径よりやや大きな内径寸法を有する下面が開口した円筒キャップ状のキャップ部（図示せず）を有している。前記筒状部３６ａは上下に貫通する貫通穴を有し、その下端開口部が前記出口穴３５ａに一致している。詳しく図示はしないが、キャップ部は、筒状部３６ａの外周との間や、筒状部３６ａの上端開口部３６ｂとの間に隙間を有した状態で、下端が柔軟剤収容部３５の底面からやや浮上った状態に被せられるように設けられる。
【００２２】
これにて、柔軟剤収容部３５内に上方から給水がなされて次第に水位が上がっていくと、それに合わせて筒状部３６ａの外周とキャップ部の内周との間を水位が上昇し、その水が筒状部３６ａの上端開口部３６ｂを超えたところで、サイフォンの原理により、柔軟剤収容部３５内の水が筒状部３６ａを通って出口穴３５ａから排出される。更に本実施形態では、柔軟剤収容部３５には、その後壁部の上端部から、後方に向けてほぼ水平に延びるようにして、返し板部３７が設けられている。この返し板部３７は、洗剤収容部３４の後端部と一致する位置まで奥方に延びて設けられており、後述する後部通路への柔軟剤の漏れ出しを防止する役割を果たす。
【００２３】
これに対し、前記ロアケース３１の内底部には、図４、図５等に示すように、横方向の一方に偏った位置である右端部の前部に位置して、水の出口３８が円形に形成されている。また、図８にも示すように、ロアケース３１の底面は、出口３８に向けて緩やかに下降傾斜している。図５、図８等に示すように、ロアケース３１の内底部には、上記収容ケース３３の下方に位置して、該収容ケース３３が載置状とされる複数本のリブ３９が形成されており、それらリブ３９によって通水用の空間が確保され、前記出口３８に向けて水が流れる底部通水部４０が設けられている。尚、図４に示すように、注水ケース２８（ロアケース３１）の出口３８は、蛇腹状の給水ホース２９を介して前記給水口２０と接続されている。
【００２４】
一方、詳しく図示はしないが、前記アッパケースには、前記給水弁２７が組込まれていると共に、収容ケース３３に水を供給するための上部通水部が設けられる。この上部通水部は、図７に想像線で示すように、前記給水弁２７の第１の出口からつながる第１の流路４４と、給水弁２７の第２の出口からつながる第２の流路４５とを備えている。前記第１の流路４４を通った水は、洗剤収容部３４の上方に設けられた複数個の第１の注水孔４６から下方に流れ落ち、前記第２の流路４５を通った水は、柔軟剤収容部３５の上方に設けられた複数個の第２の注水孔４７から下方に流れ落ちるように構成されている。
【００２５】
これにて、給水弁２７の第１の出口が開放されると、水が第１の流路４４を通って複数個の第１の注水孔４６からシャワー状に洗剤収容部３４に供給され、洗剤収容部３４の出口部３４ａから底部通水部４０に流れ落ち、出口３８及び給水ホース２９を通って水槽４に供給される。これを第１の給水態様と称する。また、給水弁２７の第２の出口が開放されると、水が第２の流路４５を通って複数個の第２の注水孔４７からシャワー状に柔軟剤収容部３５に供給され、サイフォン部３６を通って出口穴３５ａから底部通水部４０に流れ落ち、出口３８及び給水ホース２９を通って水槽４に供給される。これを第２の給水態様と称する。
【００２６】
そして、本実施形態では、図４〜図８に示すように、ロアケース３１内には、収容ケース３３の後側に位置して、ロアケース３１内を前後に仕切る仕切壁４２が一体に設けられている。これにより、ロアケース３１内には、仕切壁４２の後ろ側に位置して、後部水路４３が形成されている。この後部水路４３は、上記した第１の給水態様にあって第１の注水孔から落下した一部の水が、洗剤収容部３４に入らずに直接的に流れ込むように設けられている。また、洗剤収容部３４の後壁部から後方にあふれた水が流れ込むように設けられている。
【００２７】
前記仕切壁４２には、図６、図８等に示すように、その下辺部に部分的に開口部４２ａが形成されている。これにて、後部水路４３を流れる水が、開口部４２ａを通って底部通水部４０に流れる構成とされている。このとき、図４、図６に示すように、仕切壁４２の開口部４２ａは、前記収容ケース３３のうち洗剤収容部３４の横幅方向範囲から外れた位置であり、且つ、ロアケース３１の水の出口３８の位置と同じ側つまり右側に位置して設けられている。尚、前記柔軟剤収容部３５に設けられた返し板部３７は、開口部４２ａよりも上方に位置して設けられている。
【００２８】
次に、上記構成の洗濯機１の作用について述べる。洗濯運転を開始するにあたっては、ユーザは、洗濯機１の電源をオンし、洗濯槽１０内に衣類を収容する。これと共に、収容ケース３３を引き出して、洗剤収容部３４に、必要量の粉末洗剤或いは液体洗剤を投入し、また柔軟剤を使用する場合には、柔軟剤収容部３５に柔軟剤を投入しておく。この後、収容ケース３３を注水ケース２８内に収納した上で、ユーザは、操作パネル２４にて開始操作を行う。
【００２９】
すると、制御装置２１は、操作パネル２４におけるユーザの設定操作等に応じて、各センサからの入力信号や予め記憶された制御プログラムに基づいて、洗濯機１の各機構を制御し、周知の洗い、すすぎ、脱水の各行程からなる洗濯運転を自動で実行する。洗い行程開始時には水槽４内への給水が行われるが、この給水では、給水弁２７の第１の出口が開放され、第１の給水態様で給水が行われる。このとき、水が第１の流路４４を通って洗剤収容部３４に供給され、予め洗剤収容部３４に洗剤が収容されていることにより、その洗剤を溶かしながら出口部３４ａから底部通水部４０に流れ落ち、洗剤が溶けた水が出口３８を通って水槽４に供給される。
【００３０】
ここで、洗剤収容部３４に対して、上方からシャワー状に注水がなされるのであるが、注水ケース２８（ロアケース３１）内には、仕切壁４２によって収容ケース３３と隔てられた後部水路４３が形成されている。そのため、洗剤収容部３４に向けて注水された水の一部は、洗剤収容部３４に入って洗剤を溶かしながら出口部３４ａを通って底部通水部４０に流れ落ちるが、残りの一部の水は、後部水路４３に流れ込み、開口部４２ａを通って底部通水部４０に流れ、洗剤が溶けた水と合流するようにして、出口３８から水槽４に供給されるようになる。
【００３１】
これにより、洗剤収容部３４において、洗剤と多量の水とが勢い良く混ぜられることを防止することができ、その分、泡の発生を抑えることができる。また、後部水路４３を通った水は、部分的に形成された比較的小さい開口部４２ａを通るので、開口部４２ａを通る水の流速は比較的小さくなり、底部通水部４０における洗剤の泡立ちも抑えることができる。また、仕切壁４２の開口部４２ａは、収容ケース３３のうち洗剤収容部３４の横幅方向範囲から外れた位置に設けられているので、洗剤収容部３４から流れ落ちた洗剤を含む水と、仕切壁４２の開口部４２ａを通った水とが混ざりにくくなり、その分、底部通水部４０における洗剤と水との混合、ひいては泡立ちが抑えられる。
【００３２】
しかも、仕切壁４２の開口部４２ａは、水の出口３８の位置と同じ側に設けられているので、開口部４２ａから出口３８までの距離が比較的短く済み、開口部４２ａを通った水を、速やかに出口３８から排出することができる。その分、洗剤収容部３４を通った洗剤を含む水と、開口部４２ａを通った水とが、底部通水部４０で混ざり合って泡立つことも抑えることができる。更に、第１の給水態様の給水が行われた際、水跳ねなどにより柔軟剤収容部３５に水が入って、柔軟剤が跳ねて柔軟剤収容部３５から後方に飛び出してしまう虞もあるが、返し板部３７が設けられていることにより、柔軟剤が不必要に出てしまうことを抑制することができる。
【００３３】
この後、すすぎ行程では、ためすすぎが複数回例えば２回行われるが、最初のためすすぎにおいても、第１の給水態様で給水が行われる。更に、すすぎ行程の最後のためすすぎにおいては、給水弁２７の第２の出口が開放され、第２の給水態様で給水が行われる。これにより、柔軟剤収容部３５に注水が行われ、柔軟剤収容部３５に収容されていた柔軟剤を水に溶かしながら、柔軟剤が溶けた水がサイフォン部３６を通して出口穴３５ａから連続的に（一気に）排出され、底部通水部４０に流れ落ち、出口３８を通って水槽４に供給される。
【００３４】
このように本実施形態の洗濯機１によれば、注水ケース２８（ロアケース３１）には、収容ケース３３の後側に位置して、該注水ケー２８ス内を前後に仕切る仕切壁４２が設けられることにより、該仕切壁４２の後ろ側に、第１の給水態様にあって一部の水が洗剤収容部３４に入らずに直接的に流れ込む後部水路４３が形成され、後部水路４３の水が該仕切壁４２の下辺部に部分的に形成された開口部４２ａを通して、底部通水部４０に流れる構成とした。
【００３５】
これにより、洗剤収容部３４において、洗剤と多量の水とが勢い良く混ぜられることを防止することができ、その分、泡の発生を抑えることができる。また、後部水路４３を通った水は、部分的に形成された比較的小さい開口部４２ａを通るので、開口部４２ａを通る水の流速は比較的小さくなり、底部通水部４０における洗剤の泡立ちも抑えることができる。この結果、注水ケース２８に洗剤収容部３４を備えるものにあって、給水時に洗剤により大量の泡が発生して注水ケース２８から溢れてしまうことを未然に防止することができるという優れた効果を奏する。
【００３６】
特に本実施形態では、仕切壁４２の開口部４２ａを、収容ケース３３のうち洗剤収容部３４の横幅方向範囲から外れた位置に設けたので、洗剤の泡立ちの抑制効果をより一層高めることができる。また、仕切壁４２の開口部４２ａを、水の出口３８の位置と同じ側に設けたので、洗剤収容部３４を通った洗剤を含む水と、開口部４２ａを通った水とが、底部通水部４０で混ざり合って泡立つことも抑えることができる。
【００３７】
更に本実施形態では、柔軟剤収容部３５の後部には、開口部４２ａよりも上方に位置して、後部通路４３への柔軟剤の漏れ出しを防止するための返し板部３７を設けた。これにより、第１の給水態様による給水時など、本来柔軟剤収容部３５から柔軟剤が出ることがないときに、水跳ねなどにより柔軟剤が後部通路４３を通って出てしまうことが、返し板部３７によって阻止される。第２の給水態様の給水が行われた際に、柔軟剤収容部３５に貯留されていた柔軟剤を、確実に水槽４に供給することができるようになる。
【００３８】
尚、上記した実施形態に限定されるものではなく、図示は省略するが、例えば次のような拡張、変更も可能である。即ち、上記実施形態では、注水ケースに設けられる収容ケースに、洗剤収容部と柔軟剤収容部とを設けるようにしたが、洗濯助剤として漂白剤を収容する漂白剤収容部を設けるようにしても良い。洗剤収容部が、洗剤投入部として、粉末洗剤用と液体洗剤用との２つが設けられていても良い。これらの場合、給水経路（給水態様）をさらに増やすこともできる。
【００３９】
また、上記実施形態では、縦軸型の洗濯機に適用したが、縦軸型の洗濯機に限らず、ドラム式洗濯機など洗濯機全般に適用することができる。以上、本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
図面中、１は洗濯機、３はトップカバー、４は水槽、１０は洗濯槽、１２はパルセータ（撹拌体）、１３は水槽カバー、２０は給水口、２１は制御装置、２４は操作パネル、２５は給水機構、２７は給水弁、２８は注水ケース、３１はロアケース、３３は収容ケース、３４は洗剤収容部、３４は柔軟剤収容部（洗濯助剤収容部）、３７は返し板部、３８は出口、４０は底部通水部、４２は仕切壁、４２ａは開口部、４３は後部水路、４４は第１の流路、４５は第２の流路を示す。
【図１】
2018143525.tif 000003
【図２】
2018143525.tif 000004
【図３】
2018143525.tif 000005
【図４】
2018143525.tif 000006
【図５】
2018143525.tif 000007
【図６】
2018143525.tif 000008
【図７】
2018143525.tif 000009
【図８】
2018143525.tif 000010